(57)【要約】【課題】イオン発生機を備えた電気掃除機において、掃除機本体に着脱可能で且つ独立して作動可能なイオン発生機を提供し、また、該イオン発生機を備えて、所望の方向に所望のタイミングでイオンを送出可能な電気掃除機を提供する。【解決手段】吸気口３１及び排気口３２を有する本体枠部８０と、イオン発生素子２３と、送風ファン２４と、イオン発生素子２３及び送風ファン２４に電力を供給する電源部２１とを備えたイオン発生機８とし、このイオン発生機８を掃除機本体２に対して異なる姿勢で装着可能とし、異なる姿勢で装着されることによって、排気口３１が、掃除機本体２に対して異なる方向を指向する構成の電気掃除機１とした。【選択図】図１
2014014534.tif 000002
【特許請求の範囲】
【請求項１】
イオン発生機を備えた電気掃除機であって、
前記イオン発生機は、吸気口及び排気口を有する本体枠部と、イオン発生素子と、送風ファンと、前記イオン発生素子及び前記送風ファンに電力を供給する電源部とを備え、
前記イオン発生機が装着可能なイオン発生機装着部を、掃除機本体にさらに備え、
前記イオン発生機は、前記イオン発生機装着部に対して異なる姿勢で装着可能であり、前記イオン発生機が異なる姿勢で装着されることによって、前記排気口が掃除機本体に対して異なる方向を指向することを特徴とする電気掃除機。
【請求項２】
前記イオン発生機が異なる姿勢で装着されることによって、前記排気口は、掃除機本体に対して上方及び後方を指向することを特徴とする請求項１に記載の電気掃除機。
【請求項３】
前記本体枠部は、
前記吸気口が設けられる第１面と、
前記第１面とコーナー部を介して隣り合い前記排気口が設けられる第２面と、
前記第１面と対向する第３面と、
前記第２面と対向する第４面と、
これらの４面を連結する二つの側面と、を有する箱型状とされ、
前記イオン発生機装着部は、
前記第１面及び前記第２面を露出した状態で前記本体枠部を収容する本体収容部と、
前記第３面又は前記第４面のいずれかが載置される載置面と、を有し、
前記載置面には、前記第３面及び前記第４面に設けられる位置固定部と係合する位置規定部が設けられることを特徴とする請求項１または２に記載の電気掃除機。
【請求項４】
前記位置規定部は載置面に設ける係合凸部を有し、前記位置固定部は、前記係合凸部に係合する係合凹部を有することを特徴とする請求項３に記載の電気掃除機。
【請求項５】
前記イオン発生機の前記第１面、前記第２面またはこれらの境界部に取っ手を設けたことを特徴とする請求項３または４に記載の電気掃除機。
【請求項６】
前記電源部は、充電池および該充電池から供給される直流電力を所定の交流高電圧に変換する第１電圧発生回路を備え、該充電池を介して、前記イオン発生素子と前記送風ファンとを駆動していることを特徴とする請求項１から５のいずれかに記載の電気掃除機。
【請求項７】
前記電源部は、外部電源入力部および該外部電源から供給される電力を所定の交流高電圧に変換する第２電圧発生回路を備え、該外部電源を介して、前記イオン発生素子と前記送風ファンとを駆動していることを特徴とする請求項６に記載の電気掃除機。
【請求項８】
電気掃除機に装着されるイオン発生機であって、
吸気口及び排気口を有する本体枠部と、イオン発生素子と、送風ファンと、前記イオン発生素子及び前記送風ファンに電力を供給する電源部とを備え、
掃除機本体に対して異なる姿勢で装着可能であるとともに、異なる姿勢で装着されることによって、前記排気口が、掃除機本体に対して異なる方向を指向することを特徴とするイオン発生機。
【発明の詳細な説明】
【技術分野】
【０００１】
本発明は、電気掃除機、および、該電気掃除機に装着可能なイオン発生機に関する。
【背景技術】
【０００２】
電動送風機と集塵部とを備えた掃除機本体に、屈曲自在な接続ホースとこの接続ホースに連結する延長管と該延長管の先端に取付ける吸込みノズルを一体に接続した電気掃除機が一般に知られている。また、人が立った姿勢で容易に掃除できるように、接続ホースの先端に曲がった形状のハンドル部が接続されており、このハンドル部に延長管が接続される。
【０００３】
電気掃除機は、電動送風機により発生した吸気を用いて塵埃を集塵部まで吸引捕集し、吸気は排気部から排気しているので、吸込みノズルから排気部に至る吸気通路を有する。そのために、吸気が通過する吸気通路を構成する部材は、吸気との摩擦によって帯電することがある。また、吸気と塵埃との摩擦によって、塵埃が帯電し、帯電した塵埃が接触することによっても集塵部が帯電する。
【０００４】
そのために、電気掃除機にイオン発生機を配設することが模索されており、例えば、吸気通路内にイオンを供給して、吸気との摩擦によって帯電する塵埃や吸気通路を構成する部材を中和することが行われている。
【０００５】
また、室内の静電気で取れにくい塵埃をイオン効果で除電して吸引捕集し易くすることも可能であり、室内の上方に向けてイオンを放出することにより、室内に浮遊する塵埃にイオンを供給して除電を行うことができる。また、床面に向けてイオンを放出することにより、床面上の塵埃にイオンを供給して除電を行うことができる。
【０００６】
そのために、吸込みノズルから集塵室に至る吸気通路内の所定部位にイオン発生手段を配設した電気掃除機や、掃除機本体から外向きにイオンを送出するイオン発生手段を配設した電気掃除機などが既に提案されている。
【０００７】
例えば、本出願人から、イオン発生素子によって発生されたイオンを吸気通路内に放出するための放出口と、この放出口を開放または閉塞する逆止弁を備えた電気掃除機が既に提案されている（例えば、特許文献１参照）。
【０００８】
また、イオンを排気側に放出して、排気によって室内拡散されたイオンが、室内に浮遊する細かい塵埃に帯電して床面に落下させることにより、捕集効率を向上させて、空気清浄効果の向上を図るとした電気掃除機が既に提案されている（例えば、特許文献２参照）。
【先行技術文献】
【特許文献】
【０００９】
【特許文献１】特開２０１１−１５８８１号公報
【特許文献２】特開２０１１−２００３７２号公報
【発明の概要】
【発明が解決しようとする課題】
【００１０】
帯電した部位にイオンを供給して中和することにより除電を行うことができる。また、室内の塵埃に予めイオンを送出して塵埃を予め除電しておくことにより、電気掃除機による捕集効率の向上を図ることができる。しかし、電気掃除機の所定部位にイオン発生機を取り付けた構成では、イオンの送出方向が限定された状態となり、任意の方向に向けてイオンを送出することは困難である。
【００１１】
室内に浮遊する塵埃にイオンを供給して除電を行いたい場合には、室内の上方に向けてイオンを放出することが好ましく、床面上の塵埃にイオンを供給して除電を行いたい場合には、床面に向けてイオンを放出することが好ましいので、掃除効率を向上させるためには、これらの作動を任意に切り替えられる構成であることが望ましい。
【００１２】
また、作動のタイミングも掃除中か掃除中でないかにかかわらずに、任意のタイミングで作動可能であることが望ましい。そのために、電気掃除機を用いた掃除以外の期間であっても、この電気掃除機に配設したイオン発生機が作動できることが望まれる。
【００１３】
そこで本発明は、上記問題点に鑑み、掃除機本体に着脱可能で且つ独立して作動可能なイオン発生機を提供し、また、該イオン発生機を備えて、所望の方向に所望のタイミングでイオンを送出可能な電気掃除機を提供することを目的とする。
【課題を解決するための手段】
【００１４】
上記目的を達成するために本発明は、イオン発生機を備えた電気掃除機であって、前記イオン発生機は、吸気口及び排気口を有する本体枠部と、イオン発生素子と、送風ファンと、前記イオン発生素子及び前記送風ファンに電力を供給する電源部とを備え、前記イオン発生機が装着可能なイオン発生機装着部を、掃除機本体にさらに備え、前記イオン発生機は、前記イオン発生機装着部に対して異なる姿勢で装着可能であり、前記イオン発生機が異なる姿勢で装着されることによって、前記排気口が掃除機本体に対して異なる方向を指向することを特徴としている。
【００１５】
この構成によると、イオンを送出する排気口を使用者の所望の方向に変更してイオン発生機を装着できるので、イオン送出方向が切替可能となる。また、電源部と送風ファンを備えているので、このイオン発生機は独立して作動可能となる。そのために、イオン発生機を有効に用いることができ、効率的な使用が可能になる。
【００１６】
また本発明は上記構成の電気掃除機において、前記イオン発生機が異なる姿勢で装着されることによって、前記排気口は、掃除機本体に対して上方及び後方を指向することを特徴としている。この構成によると、使用者が所望する上方もしくは後方に向けてイオンを送出することができるようにイオン発生機を電気掃除機に装着できる。
【００１７】
また本発明は上記構成の電気掃除機において、前記本体枠部は、前記吸気口が設けられる第１面と、前記第１面とコーナー部を介して隣り合い前記排気口が設けられる第２面と、第１面と対向する第３面と、第２面と対向する第４面と、これらの４面を連結する二つの側面と、を有する箱型状とされ、前記イオン発生機装着部は、第１面及び第２面を露出した状態で前記本体枠部を収容する本体収容部と、第３面又は第４面のいずれかが載置される載置面と、を有し、前記載置面には、第３面及び第４面に設けられる位置固定部と係合する位置規定部が設けられることを特徴としている。この構成によると、イオン発生機装着部に設ける位置規定部に第３面の位置固定部を係合した第一の姿勢と、イオン発生機装着部に設ける位置規定部に第４面の位置固定部を係合した第二の姿勢とを任意に選択できるので、吸気口と排気口の方向を異なる二方向に変更できる。そのために、所望の方向に所望のタイミングでイオンを送出可能な電気掃除機となる。
【００１８】
また本発明は上記構成の電気掃除機において、前記位置規定部は載置面に設ける係合凸部を有し、前記位置固定部は、前記係合凸部に係合する係合凹部を有することを特徴としている。この構成によると、載置面に設ける係合凸部にイオン発生機側の係合凹部を係合させることにより、イオン発生機を電気掃除機の収容部に設置することができる。
【００１９】
また本発明は上記構成の電気掃除機において、前記イオン発生機の第１面、第２面またはこれらの境界部に取っ手を設けたことを特徴としている。この構成によると、イオン発生機の着脱操作を容易に行うことができる。
【００２０】
また本発明は上記構成の電気掃除機において、前記電源部は、充電池および該充電池から供給される直流電力を所定の交流高電圧に変換する第１電圧発生回路を備え、該充電池を介して、前記イオン発生素子と前記送風ファンとを駆動していることを特徴としている。この構成によると、充電池を用いてイオン発生機を駆動できるので、このイオン発生機を取り出して、単独で駆動して所望される室内領域にイオンを送出することができる。
【００２１】
また本発明は上記構成の電気掃除機において、前記電源部は、外部電源入力部および該外部電源から供給される電力を所定の交流高電圧に変換する第２電圧発生回路を備え、該外部電源を介して、前記イオン発生素子と前記送風ファンとを駆動していることを特徴としている。この構成によると、商用電源などの外部電源を用いてイオン発生機を所望のタイミングで駆動することができる。
【００２２】
また本発明は、電気掃除機に装着されるイオン発生機であって、吸気口及び排気口を有する本体枠部と、イオン発生素子と、送風ファンと、前記イオン発生素子及び前記送風ファンに電力を供給する電源部とを備え、掃除機本体に対して異なる姿勢で装着可能であるとともに、異なる姿勢で装着されることによって、前記排気口が、掃除機本体に対して異なる方向を指向することを特徴としている。
【００２３】
この構成によると、イオンを送出する排気口を使用者の所望の方向に変更してイオン発生機を装着できるので、イオン送出方向が切替可能となる。また、電源部と送風ファンを備えているので、このイオン発生機は独立して作動可能となる。従って、イオンの送出方向を切替可能で、作動タイミングも任意に設定可能なイオン発生機を得ることができる。
【発明の効果】
【００２４】
本発明によれば、掃除機本体に着脱可能で且つ独立して作動可能なイオン発生機を提供し、また、該イオン発生機を備えて、所望の方向に所望のタイミングでイオンを送出可能な電気掃除機を提供することができる。
【図面の簡単な説明】
【００２５】
【図１】本発明に係る電気掃除機の一例を示す全体外観図である。
【図２】イオン発生機を電気掃除機に装着する状態を示す斜視図である。
【図３Ａ】本発明に係るイオン発生機の一例を示す断面構成図である。
【図３Ｂ】図３Ａとは逆方向から見たときの断面構成図である。
【図４Ａ】掃除機本体に設けるイオン発生機装着部の一例を示す概略断面図である。
【図４Ｂ】イオン発生機に設ける位置固定部を示す斜視図である。
【図５】イオン発生機が上方から吸気して下方に排気する第一の姿勢の装着状態を示す要部断面図である。
【図６】イオン発生機が下方から吸気して上方に排気する第二の姿勢の装着状態を示す要部断面図である。
【発明を実施するための形態】
【００２６】
以下に本発明の実施形態を図面を参照して説明する。また、同一構成部材については同一の符号を用い、詳細な説明は適宜省略する。
【００２７】
図１は、本実施形態の電気掃除機１の全体外観図を示す。図１に示すように、本実施形態に係る電気掃除機１は、電動送風機と集塵部を内蔵する掃除機本体２と可撓性を有し屈曲自在な接続ホース３とハンドル部４と延長管５と吸込ノズル６を備えている。ハンドル部４と延長管５との間にジョイント部７を介装してもよい。また、掃除機本体２には車輪１１と補助輪１２とが配設されており、使用者がハンドル部４を把持して移動しながら掃除する操作に応じて移動自在とされる。
【００２８】
ハンドル部４は、例えば、吸込気流が流通する吸気通路を有する連結管部４１と把手部４２とが環状に連なった形状とされ、把手部４２の上面には各種ボタンが設置された操作部が設けられている。そして、使用者が操作部を操作して掃除運転が実行され、把手部４２を把持して吸込ノズル６を移動させる。
【００２９】
吸込ノズル６は、床面に当接して床面上のゴミなどを吸い込むために、使用者は、掃除する床面の全面に亘って吸込ノズル６を移動させる。そのために、使用者の移動に伴い掃除機本体２も引っ張られるようにして移動する。使用者がハンドル部４を把持して移動すると、柔軟性を有する接続ホース３を介して掃除機本体２が引っ張られて移動するので、少なくとも前部車輪１１は自在キャスタであることが好ましい。
【００３０】
また、吸込ノズル６により塵埃を吸引する際に、塵埃が静電気を帯びている場合には、吸引され難くなってしまい、良好な掃除効果を発揮することができない場合がある。そのために、本実施形態の電気掃除機１は室内にイオンを放出するイオン発生機８を装着した構成とされる。さらに、本実施形態に係るイオン発生機８は掃除機本体２に着脱可能な構成としている。
【００３１】
次に、本実施形態に係るイオン発生機８を掃除機本体２に装着する具体的な構成例について図２を用いて説明する。
【００３２】
図２に示すように、掃除機本体２に、イオン発生機８を嵌め込むようにして装着するイオン発生機装着部１３を設ける。イオン発生機装着部１３は、イオン発生機８の本体枠部を収容する本体収容部１４を有する。また、所定の位置規定部１６が形成された載置面１５を有する。すなわち、イオン発生機８を、例えば、図に示すように上方から本体収容部１４に嵌め込む操作により、イオン発生機８側に設ける位置固定部が位置規定部１６に係合して、その姿勢が固定される。
【００３３】
そのために、この載置面１５に載置されるイオン発生機８の複数の面に、この位置規定部１６に係合する所定形状の位置固定部を設けることにより、このイオン発生機８を異なる姿勢に固定できる。
【００３４】
位置規定部１６と位置固定部との係合は、例えば、一方に凸形状部を設け、他方にこの凸形状部が嵌り込む凹形状部を設けることにより、凸形状部と凹形状部とを嵌め合わせて係合させることができる。そこで、本実施形態では、掃除機本体２側にピン形状の係合凸部である位置規定部１６を設け、イオン発生機８側に、このピン形状の係合凸部が嵌合する穴状の係合凹部から成る位置固定部８７(図４Ｂ参照）を設ける構成としている。なお、位置規定部１６の個数は、特に限定されるものではなく、１個以上であればよい。
【００３５】
また、イオン発生機８は、吸気口３１が設けられる第１面８１と、この第１面とコーナー部８５を介して隣り合い排気口３２が設けられる第２面８２と、第１面８１と対向する第３面８３と、第２面８２と対向する第４面８４と、これらの４面を連結する二つの側面８６（図２においては、一面のみを図示）とを有する箱型状とされる。
【００３６】
そして、イオン発生機装着部１３は、少なくとも第１面８１と第２面８２とを露出した状態で本体枠部８０を収容する本体収容部１４と、第３面８３もしくは第４面８４のいずれかが載置され所定の位置規定部１６が形成された載置面１５とを有する。そして、当該載置面１５に第３面８３を載置して当該第３面８３に設ける位置固定部８７を位置規定部１６に係合させて位置固定した第一の姿勢と、当該載置面１５に第４面８４を載置して当該第４面８４に設ける位置固定部８７を位置規定部１６に係合させて位置固定した第二の姿勢とに変更できるようにしている。
【００３７】
従って、第３面８３を載置面１５に載置した第一の姿勢では、吸気口３１を有する第１面８１が上向きとなり排気口３２を有する第２面８２が横向きとなる。また、第４面８４を載置面１５に載置した第二の姿勢では、排気口３２を有する第２面８２が上向きとなり吸気口３１を有する第１面８１が横向きとなる。
【００３８】
すなわち、本実施形態に係るイオン発生機８は、掃除機本体２に設けるイオン発生機装着部１３に着脱可能とされ、同時に、排気口３２が異なる方向を指向するように、その姿勢を変更して固定可能とされる。また、この着脱操作を容易にするために、イオン発生機８に取っ手３４を設ける構成としてもよい。
【００３９】
次に、イオン発生機８の具体的な構成例について図３Ａ〜図４Ｂを用いて説明する。
【００４０】
イオン発生機８は、図３Ａに示すように、吸気口３１及び排気口３２を有する本体枠部８０と、イオン発生素子２３と、送風ファン２４と、イオン発生素子２３及び送風ファン２４に電力を供給する電源部２１とを備えて一体化されている。また、操作部２６（図２参照）を設けた構成であれば独立して操作可能である。そして、掃除機本体２に設けるイオン発生機装着部１３に着脱可能とされ、排気口３２の吹出し方向を異なる方向に変更した姿勢に固定可能である。すなわち、排気口３２は掃除機本体２に対して異なる方向を指向する。
【００４１】
上記の構成であれば、イオンを送出するイオン発生機８の排気口３２が使用者の所望の方向を指向するように変更できるので、イオンを所望の方向に向けて送出できる。また、電源部２１と操作部２６を備えて一体化されておれば、このイオン発生機８を個別に操作可能となる。操作部２６にはオンスイッチおよびオフスイッチを設ける。また、作動状態を示す表示部や外部電源入力部となるコンセント部を設けてもよい。
【００４２】
上記のように、イオン発生機８は、イオン発生素子２３と電源部２１と送風ファン２４とフィルタ２５を内蔵し、操作部２６を設けて一体化されているので、この操作部２６を操作して、所望のタイミングでイオンを発生して供給することができる。また、送風ファン２４とフィルタ２５と吸気口３１と排気口３２を備えているので、室内の塵埃を吸引捕集する目的にも使用することができ、イオン発生機８の効率的な使用が可能になる。
【００４３】
なお、イオン発生機８は、フィルタ２５を必ずしも備えなくてもよい。イオン発生機８が、フィルタ２５を備える場合には、空気中に浮遊する塵埃を捕集することができる。また、イオン発生機８は、操作部２６を必ずしも備えなくてもよい。操作部２６を備えない場合は、例えば、掃除機本体２の動作に併せて、イオン発生機８の動作が制御されるように構成することができる。
【００４４】
３３は、送風ファン２４とフィルタ２５との間に介装される仕切り板であって、吸気口３１や排気口３２と同様に、気流が流通可能な複数の流通口を備える。したがって、送風ファン２４が駆動されると、吸気口３１から外気が吸引され、フィルタ２５、仕切り板３３を流通して、排気口３２から流出する気流流通経路が生成される。
【００４５】
すなわち、図３Ａに示す状態では、送風ファン２４を駆動することにより、送風流れＡ１が生じ、吸気口３１から吸気流れＫ１が流入し、排気口３２から排気流れＨ１が流出する。そして、イオン発生素子２３から図中の矢印Ｂ１に示す方向にイオンが放出され、送風流れＡ１に供給されて、排気流れＨ１により室内に拡散する。従って、室内の上方の空気を吸引し、空気中の塵埃をフィルタ２５が捕集すると共に、イオンを含んだ気流を室内の下方に向けて吹出している。
【００４６】
また、図３Ｂには、図３Ａとは逆方向から見たときの状態を示しており、構成や作用は同じである。この図は、後で説明する第二の姿勢を容易に理解するために表示したものである。
【００４７】
いずれにしても、本実施形態に係るイオン発生機８は、電源部２１とイオン発生素子２３と送風ファン２４を備えているので独立して作動可能である。また、操作部２６を備えて一体化されておれば、このイオン発生機８を単独に操作可能となる。電源部２１は充電池２２を備え、この充電池２２を介して、イオン発生素子２３と送風ファン２４とを駆動する駆動回路を備えている。
【００４８】
イオン発生素子２３は、例えば、正イオンを発生させる針状電極と負イオンを発生させる針状電極とを備え、これらの電極に一定のパルスを持つ高電圧を与えてプラズマ放電を起こして高濃度の正負のイオンを生成する。そのために、上記駆動回路は、例えば、充電池２２から供給される直流電力を所定の交流高電圧に変換する第１電圧発生回路を備えて、イオン発生素子２３の針状電極に所定の交流高電圧を供給する。
【００４９】
この構成であれば、高圧パルス電圧を用いたプラズマ放電方式のイオン発生機であっても充電池２２を用いてイオン発生機８を駆動できるので、このイオン発生機８を取り出して、単独で駆動して所望される室内領域にイオンを送出することができる。
【００５０】
また、電源部２１は外部電源入力部および当該外部電源から供給される電力を所定の交流高電圧に変換する第２電圧発生回路を備え、当該外部電源を介して、イオン発生素子２３と送風ファン２４とを駆動する構成であってもよい。この構成であれば、商用電源などの外部電源を用いてイオン発生機８を駆動することができる。
【００５１】
また、上記の第１電圧発生回路と第２電圧発生回路とを共に備えて、商用電源から電力が供給された状態では、第２電圧発生回路を優先駆動し、商用電源から電力が供給されない状態では、充電池２２および第１電圧発生回路を優先駆動する構成とすることにより、各種電源の効果的な使用が可能になる。
【００５２】
また、イオン発生機８に内装した充電池２２の交換や、イオン発生素子２３およびフィルタ２５のメンテナンスなどのために、側面８６の一方を開閉可能としておくことが好ましい。この構成であれば、イオン発生機８を取り出して側面８６を開放することにより、充電池２２やイオン発生素子２３やフィルタ２５などの交換作業やメンテナンス作業を容易に行うことができる。また、一面だけでなく複数の面を開閉可能にした構成であってもよい。
【００５３】
掃除機本体側に設ける位置規定部１６とイオン発生機側に設ける位置固定部８７との係合は、上記したように、一方をピン形状の係合凸部とし、他方を、このピン形状の係合凸部が嵌合する穴状の係合凹部としたものである。そこで、この係合関係について図４Ａ、図４Ｂを用いてさらに説明する。
【００５４】
図４Ａに示すように、掃除機本体２に設けるイオン発生機装着部１３は、本体収容部１４の底部が載置面１５とされ、この載置面１５に複数のピン形状の係合凸部からなる位置規定部１６が設けられている。
【００５５】
また、図４Ｂに示すように、イオン発生機８の第３面８３と第４面８４の両面に、位置規定部１６に係合する複数の係合凹部から成る位置固定部８７をそれぞれ設けた構成としている。この構成であれば、載置面１５に設ける係合凸部にイオン発生機８側の係合凹部を係合させることにより、イオン発生機８をイオン発生機装着部１３に対して異なる二方向に装着することができる。
【００５６】
次に、図５を用いて、第一の姿勢の装着状態（第１実施形態）について説明し、図６を用いて、第二の姿勢の装着状態（第２実施形態）について説明する。
【００５７】
＜第１実施形態＞
図５は、イオン発生機８が上方から吸気して下方に排気する第一の姿勢の装着状態を示す要部断面図である。すなわち、この図５は、第３面８３の位置固定部８７を載置面１５の位置規定部１６に係合させて、吸気口３１を有する第１面８１を上側に向けてイオン発生機８を装着した第１実施形態を示している。
【００５８】
この第一の姿勢では、前述したように、送風流れＡ１により、上側にある吸気口３１から吸気流れＫ１が下向きに流入し、下方の横向きにある排気口３２から排気流れＨ１が横向きに流出する。そして、イオン発生素子２３から図中の矢印Ｂ１に示す方向にイオンが排気流れＨ１と共に室内に拡散する。従って、この第一の姿勢では、室内の上方の空気を吸引し、空気中の塵埃をフィルタ２５が捕集すると共に、イオンを含んだ気流を室内の下方に向けて吹出している。
【００５９】
そのため、この状態では、室内の下側に向けて、すなわち、床面に向けてイオンを送出して、床面上の塵埃の静電気を除電することができる。また、イオン発生機８がフィルタ２５を備える場合には、床面から巻き上がった塵埃は、上側にある吸気口３１から取り込んでフィルタ２５に捕集することができる。
【００６０】
上記したように、この第１実施形態に係る電気掃除機であれば、床面上の塵埃にイオンを供給して除電を行った後、あるいは、床面上の塵埃にイオンを供給して除電を行いながら掃除することができ、吸込ノズル６を用いた塵埃の吸引を確実にして掃除効率を向上させることができる。
【００６１】
＜第２実施形態＞
図６は、イオン発生機８が下方から吸気して上方に排気する第二の姿勢の装着状態を示す要部断面図である。すなわち、この図６は、第４面８４の位置固定部８７を載置面１５の位置規定部１６に係合させて、排気口３２を有する第２面８２を上側に向けてイオン発生機８を装着した第２実施形態を示している。
【００６２】
この第二の姿勢では、前述したように、送風流れＡ１により、下方の横側にある吸気口３１から吸気流れＫ１が横向きに流入し、上側にある排気口３２から排気流れＨ１が上向きに流出する。そして、イオン発生素子２３から図中の矢印Ｂ１に示す方向にイオンが排気流れＨ１と共に室内に拡散する。従って、この第二の姿勢では、室内の下方の空気を吸引し、空気中の塵埃をフィルタ２５が捕集すると共に、イオンを含んだ気流を室内の上方に向けて吹出している。
【００６３】
そのため、この状態では、室内の上側に向けてイオンを送出して、室内に浮遊している塵埃や家具などに付着している塵埃の静電気を除電することができる。また、イオン発生機８がフィルタ２５を備える場合には、床面近辺の塵埃や床面に落下した塵埃は、下側にある吸気口３１から取り込んでフィルタ２５に捕集することができる。
【００６４】
上記したように、この第２実施形態に係る電気掃除機であれば、室内に浮遊している塵埃や家具などに付着している塵埃にイオンを供給して除電を行った後、あるいは、室内に浮遊している塵埃や家具などに付着している塵埃にイオンを供給して除電を行いながら掃除することができる。
【００６５】
また、室内にイオンを供給することにより塵埃の静電気を除電することに加えて、従来公知の消臭効果や除菌効果をも発揮可能となる。すなわち、本実施形態に係るイオン発生機８は、電気掃除機１を用いた掃除の際に使用することに限定されず、室内の消臭や除菌を行う目的にも使用可能な構成である。
【００６６】
例えば、イオン発生機８は、正イオンと負イオンを共に発生する。そのために、イオン発生素子２３は、イオン発生面にプラスイオン発生部とマイナスイオン発生部となる電極をそれぞれ備え、同量のプラスイオンとマイナスイオンを共に生成する。すなわち、送風ファン２４を介して排気口３２から排気される空気流に、大量のプラスイオンとマイナスイオンが供給される。
【００６７】
イオン発生素子２３の電極には交流波形またはインパルス波形から成る電圧が印加される。電極の印加電圧が正電圧の場合はイオンが空気中の水分と結合して主としてＨ+（Ｈ2Ｏ）ｍから成るプラスイオンを発生する。電極の印加電圧が負電圧の場合はイオンが空気中の水分と結合して主としてＯ2-（Ｈ2Ｏ）ｎから成るマイナスイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００６８】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、プラスイオン及びマイナスイオンを発生して吐出口から吐出することにより吐出空間の殺菌及び臭い除去を行うことができる。
【００６９】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００７０】
上記したように、本発明によれば、吸気口及び排気口を有する本体枠部と、イオン発生素子と、送風ファンと、イオン発生素子及び送風ファンに電力を供給する電源部とを備えたイオン発生機とし、このイオン発生機を掃除機本体に対して異なる姿勢で装着可能とし、異なる姿勢で装着されることによって、前記排気口が、掃除機本体に対して異なる方向を指向するようにしたので、イオンを所望の方向に向けて送出でき、イオン発生機を個別に操作可能となる。そのために、イオンの送出方向を切替可能で、作動タイミングも任意に設定可能なイオン発生機を得ることができ、このイオン発生機を備えて、所望の方向に所望のタイミングでイオンを送出可能な電気掃除機を得ることができる。
【００７１】
また、本体枠部に吸気口と排気口と操作部とを設けて一体化したイオン発生機としたので、電気掃除機に装着して使用することも、電気掃除機から取り出して自立した状態で単独で使用することも可能となる。また、立設面または自立面を第３面から第４面に切り替えることでイオンの送出方向を上向きと横向き（下向き）とに容易に変更できる。従って、イオンの送出方向を切替可能で、作動タイミングも任意に設定可能なイオン発生機を得ることができる。
【００７２】
従って、本発明に係る電気掃除機は、所望の方向に所望のタイミングでイオンを送出可能な電気掃除機となり、本発明に係る電気掃除機が備えるイオン発生機は、電気掃除機から取り外して独立して操作可能となる。
【産業上の利用可能性】
【００７３】
そのために、本発明に係る電気掃除機およびイオン発生機は、室内の塵埃の静電気を除電して高い掃除効率を発揮することが求められる電気掃除機に好適に利用可能となる。
【符号の説明】
【００７４】
１    電気掃除機
２    掃除機本体
３    接続ホース
４    ハンドル部
５    延長管
６    吸込ノズル
８    イオン発生機
１３    イオン発生機装着部
１４    本体収容部
１５    載置面
１６    位置規定部
２１    電源部
２２    充電池
２３    イオン発生素子
２４    送風ファン
２５    フィルタ
２６    操作部
３１    吸気口
３２    排気口
３４    取っ手
８０    本体枠部
８１    第１面
８２    第２面
８３    第３面
８４    第４面
８７    位置固定部
Ｈ１    排気流れ
Ｋ１    吸気流れ
【図１】
2014014534.tif 000003
【図２】
2014014534.tif 000004
【図３Ａ】
2014014534.tif 000005
【図３Ｂ】
2014014534.tif 000006
【図４Ａ】
2014014534.tif 000007
【図４Ｂ】
2014014534.tif 000008
【図５】
2014014534.tif 000009
【図６】
2014014534.tif 000010